(57)【要約】   【課題】   レジ袋に代表されるポリエチレンを使用後に廃棄する事無く、簡便な方法で積層シートとして再利用する。  【解決手段】  使用済みのレジ袋等を低密度ポリエチレンと高密度ポリエチレンに分別し、低密度ポリエチレンを中層として、表層両面に高密度ポリエチレンをサンドイッチ状に積層して加熱融着することによって３層構造をなす本願発明の積層シートを得る。  この得られた積層シートは、手帳カバー、バッグ、ポーチ等の部材、素材単品としてはしおり、カードケース等に利用することが出来る。【選択図】図１
2009154401.tif 000002
【特許請求の範囲】
【請求項１】
第１の樹脂を中層とし、表層両面に第２の樹脂をサンドイッチ状に積層して加熱融着することによって得られる３層構造をなす積層シート。
【請求項２】
前記第１の樹脂が高密度ポリエチレンであり、前記第２の樹脂が低密度ポリエチレンであることを特徴とする請求項１に記載の積層シート。
【請求項３】
前記第１の樹脂および前記第２の樹脂が、使用済みの熱可塑性樹脂をリサイクルした樹脂であることを特徴とする請求項１または請求項２記載の積層シート。
【請求項４】
前記使用済みの熱可塑性樹脂が使用済みのレジ袋からなる樹脂であることを特徴とする請求項３記載の積層シート。
【発明の詳細な説明】
【技術分野】
【０００１】
本発明はレジ袋を主とするポリエチレン樹脂の再資源化により得られる手帳、カードケ
ース、バッグなどの生活用材の基材となる積層シートに関する。          
【背景技術】
【０００２】
ポリエチレン樹脂などのプラスチックは原油などの埋蔵化石燃料を基礎原料として合成
されるものが多く、資源の有効活用の観点から、これらのプラスチックからなる製品の再
資源化の推進が近年強く要求されてきている。原油などの埋蔵化石燃料の燃焼による二酸
化炭素および硫黄酸化物の放出による地球温暖化、酸性雨といった環境破壊、嵩の大きい
プラスチックを含む廃材の増大によるゴミ埋立処理場の不足といった問題を抑制するとい
う観点からも、これらのプラスチックからなる廃材の再資源化が重要かつ緊急の課題とな
ってきている。
【０００３】
ポリエチレン樹脂は、機械的特性、熱的特性、化学的特性、電気的特性などに優れ、か
つ安価な樹脂であることから多方面にわたって広く用いられている。スーパーやコンビニ
エンスストアに代表される小売店で使用されるレジ袋も例外ではなく、その使用量及び廃
棄量は多い。
【０００４】
近年では環境意識の高まりとともに様々なリサイクル方法が提案されており、使用済み
プラスチック製品を比重分離や混錬造粒、静電分離、溶剤・溶解分離などを用いて分別するマテリアルリサイクルが行われている。
【特許文献１】特開２００１−２４６６２１号公報
【特許文献２】特開２００３−２８５３２８号公報
【特許文献３】特開２００５−２３１９１号公報
【発明の開示】
【発明が解決しようとする課題】
【０００５】
しかしながらこれらプラスチック製品の再利用に際しては、添加物を多く含んでいたり、多種の樹脂からなっていたりするために、着色や物性低下が避けられない。生産性・品質が実用的使用には不十分であり、また再生コストもかかり、リサイクルシステムは未だ確立されていない。特にポリエチレン樹脂がレジ袋に用いられている場合においては、多くの場合使用後に廃棄されているのが現状である。しかもリサイクルの手法のいずれもが工業設備を有する工場等で行われており、個人が行える範囲にはない。
【０００６】
本発明は、再資源化が重要かつ緊急の課題となっているポリエチレン樹脂の廃材において小さくない部分を占めるレジ袋を使用し、なおかつ家庭で使用される入手容易な機材を用いも簡便に実行可能な再資源化の工程を提供するものである。
【課題を解決するための手段】
【０００７】
即ち、本発明の積層シートは、第１の樹脂を中層とし、表層両面に第２の樹脂をサンド
イッチ状に積層して加熱融着することによって得られる３層構造をなす積層シートである。
また、前記第１の樹脂が低密度ポリエチレンであり、前記第２の樹脂が高密度ポリエチレであることを特徴とする積層シートである。
また、前記第１の樹脂および前記第２の樹脂が、使用済みの熱可塑性樹脂をリサイクルした樹脂であることを特徴とする積層シートである。
さらに、前記使用済みの熱可塑性樹脂が使用済みのレジ袋からなる樹脂であることを特徴とする積層シートである。
【０００８】
本発明者は、再資源化に係るこのような課題の解決を図り、ポリエチレン樹脂の再資源
化を極めて簡易な方法により実現するために、ポリエチレン製のレジ袋を分別し、低密ポ
リエチレンを中として、表層両面に高密度ポリエチレンをサンドイッチ状に積層して３層
構造とし、加熱融着すれば、生活用材の基材となりうる積層シートができるとの着想を得、レジ袋を裁断する際の大きさ、量の決定方法、また各々の裁断物の組み合わせ方などについて実験を行い、鋭意検討を重ねた。
【０００９】
その結果、使用済みのレジ袋を適切なサイズに裁断して積層、加熱融着し、積層シート
を製造する方法を確立した。さらに、本発明者は検討を重ね、加熱する際の適切な温度を決定する方法を確立し、本発明を完成した。
【００１０】
以上の結果、ポリエチレン樹脂に対するリサイクル策として、廃棄処分を回避し、かつ資源の循環再利用への道を拓き、実用に耐えうる製品を作り出すことができた。
【発明の効果】
【００１１】
その多くが廃棄される、家庭から出る使用済みのレジ袋を再資源化することは、省エ
ネルギー・省資源に役立ち、環境問題の改善に十分貢献できる。
【００１２】
また、このリサイクル方法は、従来の回収ルートである一般家庭ゴミの分別収集・集積所を経由せずに直接家庭から作業所に持ち込んで実施することが可能なため、リサイクルシステムを簡易化・円滑に運営できる長所がある。
さらに、レジ袋の色や表面に印刷された文字やマークが、積層シートに残るために様々な模様を楽しむことができる。
【発明を実施するための最良の形態】
【００１３】
以下、本発明の実施の形態を説明する。
【実施例】
【００１４】
市民の協力を得るために、主に家庭から出る使用済みレジ袋を持ち寄ってもらう際には出来うる限り簡易な方法をとる。幸い、近年レジ袋にはポリエチレンが多く使用されており、収集したしたものを分別する手間を極小にできる。
【００１５】
本発明による積層シートの形状は、用途に応じた任意の形状とすればよい。成形過程の特徴上、平面形のシート以外に加工することは難しいが、そのサイズ・面積は随時変更することができる。その際の目安は、積層シート面積４５０平方ｍｍにつき、使用する低密度ポリエチレンと高密度ポリエチレン樹脂の総重量１ｇである。例えば縦３５０ｍｍ・横２００ｍｍの範囲内に収めたいならば、収集したポリエチレン製レジ袋を１０〜２０ｇになるよう計量する必要がある。
【００１６】
次に、厚みが均一になるように注意して前記規定の範囲内に収まるよう紙の上に配置する。配置し終わったら、下に敷いてある紙と同サイズの紙を上に重ね合わせる。紙を上下に挟んだ状態を図１に示す。紙の使用にあたっては主にコピー用紙などに用いられる上質紙や中質紙など、表面加工されていない非塗工紙が望ましい。
【００１７】
図１の状態にしたものの上から直接アイロンで加熱し融着する。温度が摂氏１５０〜１７０度になるようにする。温度が高いと成形品に穴が開くことになり製品には適さない。また、温度が低いと、それぞれの樹脂が融着されず、一体化に齟齬をきたす。加熱する際、配置した樹脂間に含まれた気泡を除去するために加圧することが必要である。
【００１８】
紙とポリエチレン樹脂との各温度帯における膨張・収縮の差による湾曲、変形、カールを防ぐために、加圧融着プロセスが終了した後も加圧を継続する。具体的には、図２に示すように、重量物を積載した十分な面積と均一な平面を有する平滑な板の下に配置することにより、加圧する。
【００１９】
十分時間をおき常温まで冷却されたのを確認し、積載した重量物を取り去り紙から積層シートをはがす。材料となった元のレジ袋に塗料皮膜がある場合、加熱することにより塗料面が紙表面に付着し、剥離時に紙が付着してしまうことがある。そのような場合においては水につけ濡らし、スポンジ等で擦り取る。以上の工程でもって本願発明の積層シートを得た。
【００２０】
本発明による積層シートの用途は特に限定されるものではないが、必要に応じ所定のサイズに裁断することで次の様な用途に使用できる。例えば手帳カバー、バッグ、ポーチ等の部材、素材単品ではしおり、カードケースが適している。
【図面の簡単な説明】
【００２１】
【図１】本発明の積層シート成形過程の実施例を概念的に示す断面図。
【図２】重量物を積載した状態の断面図
【符号の説明】
【００２２】
１非塗工紙
２高密度ポリエチレン製レジ袋
３低密度ポリエチレン製レジ袋
４重量物
５十分な面積と均一な平面を有する平滑な板
【図１】
2009154401.tif 000003
【図２】
2009154401.tif 000004